(57)【要約】【課題】通行対象の安全性を確保することが可能になる、折り戸用の開閉体を提供すること。【解決手段】折り戸用の開閉体は、建物の壁部２の開口部３に設けられる折り戸を構成する開閉体であり、当該開閉体の戸尻側の端部又はその近傍に設けられた戸尻側ヒンジ部６０によって、当該開閉体が折り戸を構成する枠体１０に対して回動自在に軸支される開閉体であって、開閉体本体と、開閉体本体と床面５との間のうち戸尻側ヒンジ部６０に対応する部分以外の部分の略全体にわたって設けられた第１挟込防止部１００ａ及び第２挟込防止部１００ｂであり、通行対象が開閉体本体の近傍に位置する際に当該通行対象が開閉体本体と床面５との間で挟み込まれることを防止するための第１挟込防止部１００ａ及び第２挟込防止部１００ｂとを備えた。【選択図】図１
2020070558.tif 000002
【特許請求の範囲】
【請求項１】
建物の壁の開口部に設けられる折り戸を構成する開閉体であり、当該開閉体の戸尻側の端部又はその近傍に設けられたヒンジ部によって、当該開閉体が前記折り戸を構成する枠体に対して回動自在に軸支される開閉体であって、
開閉体本体と、
前記開閉体本体と床面との間のうち前記ヒンジ部に対応する部分以外の部分の略全体にわたって設けられた挟込防止手段であり、通行対象が前記開閉体本体の近傍に位置する際に当該通行対象が前記開閉体本体と床面との間で挟み込まれることを防止するための挟込防止手段と、
を備えた折り戸用の開閉体。
【請求項２】
前記挟込防止手段は、前記通行対象の挟み込みを防止可能な空間部であって、当該空間部の上端が前記開閉体本体の下端部のうち前記ヒンジ部に対応する部分よりも上方に位置するように設けられた空間部を備える、
請求項１に記載の折り戸用の開閉体。
【請求項３】
前記挟込防止手段は、少なくとも一部が弾性変形可能な塞ぎ部であって、前記空間部を塞ぐための塞ぎ部をさらに備える、
請求項２に記載の折り戸用の開閉体。
【請求項４】
前記開閉体本体は、
前記ヒンジ部によって軸支された第１開閉体本体と、
前記第１開閉体本体よりも戸先側に少なくとも１つ以上設けられる第２開閉体本体と、を備え、
前記塞ぎ部を、前記第１開閉体本体と第２開閉体本体とにそれぞれ別体で設けた、
請求項３に記載の折り戸用の開閉体。
【請求項５】
前記塞ぎ部の下端部と、前記第１開閉体本体の下端部の部分のうち前記ヒンジ部に対応する部分とを略面一とした、
請求項４に記載の折り戸用の開閉体。
【請求項６】
前記塞ぎ部は、
前記開閉体本体の下端部に取り付けられるベース片と、
弾性変形可能な突出片であって、前記ベース片から下方に向けて張り出された突出片と、を備え、
前記突出片の厚さを、下方に向かうにつれて薄くした、
請求項３から５のいずれか一項に記載の折り戸用の開閉体。
【請求項７】
前記突出片は、
前記ベース片の見込方向の一方側の端部に設けられた第１突出片と、
前記ベース片の見込方向の他方側の端部に設けられた第２突出片と、を備える、
請求項６に記載の折り戸用の開閉体。
【請求項８】
前記塞ぎ部は、
前記第１突出片と前記第２突出片とを接続する補助片をさらに備え、
前記補助片を、弾性変形可能であり、且つ前記ベース片の見込方向の中央側に向かうにつれて上方又は下方に向けて湾曲するように構成した、
請求項７に記載の折り戸用の開閉体。
【発明の詳細な説明】
【技術分野】
【０００１】
本発明は、折り戸用の開閉体に関する。
【背景技術】
【０００２】
従来、部屋の開口部に設けられている折り戸の開閉体を自動的に開閉するための技術の一つとして、開閉体の近傍位置又は離間した位置に設けられた自動開閉押ボタンスイッチと、自動開閉押ボタンスイッチがユーザによって操作されると、開閉体を開放又は閉鎖させる制御手段とを備えるシステムが提案されている。また、このシステムには、部屋の室内側及び室外側に人感センサが設けられており、例えば開閉体の閉鎖中において人感センサによって人の存在が検知された場合には、制御手段は、開閉体を再び開放させることで、人が開閉体と床面との間に挟み込まれることを防止できる（例えば、特許文献１参照）。なお、この人感センサの検知エリアは、開閉体の開閉を妨げることを回避できるように、開閉体を検知しない範囲に設定されている。
【先行技術文献】
【特許文献】
【０００３】
【特許文献１】特開２０１５-１９３９９６号公報
【発明の概要】
【発明が解決しようとする課題】
【０００４】
ここで、上記従来のシステムにおいては、上述したように、人感センサが設けられているものの、その検知エリアが開閉体を検知しない範囲に設定されているので、例えば、開閉体の近傍位置であり、且つ人感センサの検知エリア外にいる人が開閉体と床面との間に挟み込まれてしまうおそれがあることから、人の如き通行対象の安全性を確保する観点からは改善の余地があった。
【０００５】
本発明は、上記従来技術における課題を解決するためのものであって、通行対象の安全性を確保することが可能になる、折り戸用の開閉体を提供することを目的とする。
【課題を解決するための手段】
【０００６】
上述した課題を解決し、目的を達成するために、請求項１に記載の折り戸用の開閉体は、建物の壁の開口部に設けられる折り戸を構成する開閉体であり、当該開閉体の戸尻側の端部又はその近傍に設けられたヒンジ部によって、当該開閉体が前記折り戸を構成する枠体に対して回動自在に軸支される開閉体であって、開閉体本体と、前記開閉体本体と床面との間のうち前記ヒンジ部に対応する部分以外の部分の略全体にわたって設けられた挟込防止手段であり、通行対象が前記開閉体本体の近傍に位置する際に当該通行対象が前記開閉体本体と床面との間で挟み込まれることを防止するための挟込防止手段と、を備えた。
【０００７】
請求項２に記載の折り戸用の開閉体は、請求項１に記載の折り戸用の開閉体において、前記挟込防止手段は、前記通行対象の挟み込みを防止可能な空間部であって、当該空間部の上端が前記開閉体本体の下端部のうち前記ヒンジ部に対応する部分よりも上方に位置するように設けられた空間部を備える。
【０００８】
請求項３に記載の折り戸用の開閉体は、請求項２に記載の折り戸用の開閉体において、前記挟込防止手段は、少なくとも一部が弾性変形可能な塞ぎ部であって、前記空間部を塞ぐための塞ぎ部をさらに備える。
【０００９】
請求項４に記載の折り戸用の開閉体は、請求項３に記載の折り戸用の開閉体において、前記開閉体本体は、前記ヒンジ部によって軸支された第１開閉体本体と、前記第１開閉体本体よりも戸先側に少なくとも１つ以上設けられる第２開閉体本体と、を備え、前記塞ぎ部を、前記第１開閉体本体と第２開閉体本体とにそれぞれ別体で設けた。
【００１０】
請求項５に記載の折り戸用の開閉体は、請求項４に記載の折り戸用の開閉体において、前記塞ぎ部の下端部と、前記第１開閉体本体の下端部の部分のうち前記ヒンジ部に対応する部分とを略面一とした。
【００１１】
請求項６に記載の折り戸用の開閉体は、請求項３から５のいずれか一項に記載の折り戸用の開閉体において、前記塞ぎ部は、前記開閉体本体の下端部に取り付けられるベース片と、弾性変形可能な突出片であって、前記ベース片から下方に向けて張り出された突出片と、を備え、前記突出片の厚さを、下方に向かうにつれて薄くした。
【００１２】
請求項７に記載の折り戸用の開閉体は、請求項６に記載の折り戸用の開閉体において、前記突出片は、前記ベース片の見込方向の一方側の端部に設けられた第１突出片と、前記ベース片の見込方向の他方側の端部に設けられた第２突出片と、を備える。
【００１３】
請求項８に記載の折り戸用の開閉体は、請求項７に記載の折り戸用の開閉体において、前記塞ぎ部は、前記第１突出片と前記第２突出片とを接続する補助片をさらに備え、前記補助片を、弾性変形可能であり、且つ前記ベース片の見込方向の中央側に向かうにつれて上方又は下方に向けて湾曲するように構成した。
【発明の効果】
【００１４】
請求項１に記載の折り戸用の開閉体によれば、開閉体本体と床面との間のうちヒンジ部に対応する部分以外の部分の略全体にわたって設けられた挟込防止手段であり、通行対象が開閉体本体の近傍に位置する際に当該通行対象が開閉体本体と床面との間で挟み込まれることを防止するための挟込防止手段を備えたので、挟込防止手段によって通行対象が開閉体本体と床面との間で挟み込まれることを防止でき、通行対象の安全性を確保できる。
【００１５】
請求項２に記載の折り戸用の開閉体によれば、挟込防止手段が、通行対象の挟み込みを防止可能な空間部であって、当該空間部の上端が開閉体本体の下端部のうちヒンジ部に対応する部分よりも上方に位置するように設けられた空間部を備えるので、空間部によって通行対象が開閉体本体と床面との間で挟み込まれることを防止でき、通行対象の安全性を確保しやすくなる。
【００１６】
請求項３に記載の折り戸用の開閉体によれば、挟込防止手段が、少なくとも一部が弾性変形可能な塞ぎ部であって、空間部を塞ぐための塞ぎ部をさらに備えるので、開閉体本体と床面との間で通行対象が挟まれることを防止しながら、空間部を塞ぐことができる。よって、開閉体によって開口部を全閉した状態において開口部よりも見込方向の一方側の空間が空間部を介して見込方向の他方側に露出することを回避できると共に、通行対象が足等を故意に空間部に入れることを抑制できる。
【００１７】
請求項４に記載の折り戸用の開閉体によれば、塞ぎ部を、第１開閉体本体と第２開閉体本体とにそれぞれ別体で設けたので、塞ぎ部を第１開閉体本体と第２開閉体本体とにわたって一体で設けた場合に比べて、開閉体を容易に折り畳むことができ、開閉体の開閉移動をスムーズに行うことが可能となる。
【００１８】
請求項５に記載の折り戸用の開閉体によれば、塞ぎ部の下端部と、第１開閉体本体の下端部の部分のうちヒンジ部に対応する部分とを略面一としたので、塞ぎ部の下端部と、第１開閉体本体の下端部の部分のうちヒンジ部に対応する部分とを非面一とした場合に比べて、塞ぎ部が目立つことを抑制でき、開閉体の意匠性を維持しやすくなる。
【００１９】
請求項６に記載の折り戸用の開閉体によれば、塞ぎ部が、開閉体本体の下端部に取り付けられるベース片と、弾性変形可能な突出片であって、ベース片から下方に向けて張り出された突出片とを備えたので、塞ぎ部を比較的簡易な構成且つ安価に製造でき、塞ぎ部の製造コストを低減できる。また、突出片の厚さを下方に向かうにつれて薄くしたので、突出片の下側部分が変形しやすくなるため、通行対象が突出片と接触した際の負荷を低減できる。また、突出片の上側部分を厚くでき、突出片の形状を維持しやすくなる。
【００２０】
請求項７に記載の折り戸用の開閉体によれば、突出片が、ベース片の見込方向の一方側の端部に設けられた第１突出片と、ベース片の見込方向の他方側の端部に設けられた第２突出片と、を備えるので、第１突出片又は第２突出片のいずれか一方のみを備える場合に比べて、挟込防止手段の見込方向の一方側の外観と挟込防止手段の見込方向の他方側の外観とを同一又は類似にできることから、開閉体の意匠性を維持しやすくなる。
【００２１】
請求項８に記載の折り戸用の開閉体によれば、塞ぎ部が、第１突出片と第２突出片とを接続する補助片をさらに備え、補助片を、弾性変形可能であり、且つベース片の見込方向の中央側に向かうにつれて上方又は下方に向けて湾曲するように構成したので、補助片によって第１突出片及び第２突出片の支持を補助でき、第１突出片及び第２突出片を安定して支持することが可能となる。また、補助片が水平方向に沿うように直線状に構成された場合に比べて、第１突出片又は第２突出片が通行対象との接触で弾性変形した際に補助片が変形しやすくなることから、補助片によって第１突出片又は第２突出片の変形が妨げられることを回避できる。
【図面の簡単な説明】
【００２２】
【図１】本発明の実施の形態に係る開閉システムを示す正面図である。
【図２】図１の開閉システムのＡ−Ａ矢視断面図である（一部図示省略）。
【図３】図２の第１挟込防止部周辺の拡大図である。
【図４】図１の開閉システムのＢ−Ｂ矢視断面図であり、（ａ）は全閉状態を示す図、（ｂ）は全開状態を示す図である。
【図５】図４の中間ヒンジ部周辺の拡大図である。
【図６】制御装置の電気的構成を示したブロック図である。
【図７】開閉システムの変形例を示す図であって、図１に対応する領域を示す図である。
【図８】第１挟込防止部の変形例を示す図であって、図３に対応する領域を示す図である。
【図９】第１挟込防止部の変形例を示す図であって、図３に対応する領域を示す図である。
【発明を実施するための形態】
【００２３】
以下に添付図面を参照して、この発明に係る折り戸用の開閉体の実施の形態を詳細に説明する。まず、〔I〕実施の形態の基本的概念について説明した後、〔II〕実施の形態の具体的内容について説明し、最後に、〔III〕各実施の形態に対する変形例について説明する。ただし、実施の形態によって本発明が限定されるものではない。
【００２４】
〔I〕実施の形態の基本的概念
まず、実施の形態の基本的概念について説明する。実施の形態は、概略的に、建物の壁の開口部に設けられる折り戸を構成する開閉体であり、当該開閉体の戸尻側の端部又はその近傍に設けられたヒンジ部によって、当該開閉体が折り戸を構成する枠体に対して回動自在に軸支される開閉体に関するものである。
【００２５】
ここで、「建物」の具体的な構造や種類は任意であるが、例えば、病院等の公共施設又は工場施設等を含む概念である。また、「建物の壁の開口部」とは、建物の躯体の壁部において窓や入り口を設置するために形成された開口部である。また、「開口部」を通行する「通行対象」の種類は任意であり、例えば、人、動物、物等が該当する。また、「折り戸」は、建物の開口部の出入り又は視界を抑制又は制限するための構造体を意味する。また、折り戸の取り付け位置や用途は任意であるが、例えば玄関に設置される「玄関用折り戸」、勝手口や通用口に設置される「勝手口折り戸」、建物内部に設置される「室内折り戸」等を含む。また、折り戸の開閉構造は任意であり、例えば、片開式の折り戸、両開式の折り戸等が該当する。また、折り戸の駆動方式は任意であり、例えば、「電動式の折り戸」、「手動式の折り戸」が該当する。また「開閉体の状態」とは、例えば、開閉体によって開口部を全閉した「全閉状態」と、開閉体によって開口部を全開した「全開状態」と、開口部の一部を開いて当該開口部の他の一部を閉じている「半開状態」とを含む概念である。なお、実施の形態では、全閉状態における開閉体の位置を「全閉位置」と称し、全開状態における開閉体の位置を「全開位置」と称する。以下、実施の形態では、折り戸が、ビルの如き建物の通路に面する位置に配置された片開式且つ電動式の折り戸である場合について説明する。
【００２６】
〔II〕実施の形態の具体的内容
次に、実施の形態の具体的内容について説明する。
【００２７】
（構成）
最初に、実施の形態に係る折り戸用の開閉体が適用される開閉システムの構成について説明する。以下の説明では、図１のＸ方向を開閉システムの左右方向（−Ｘ方向を開閉システムの左方向、＋Ｘ方向を開閉システムの右方向）、図２のＹ方向を開閉システムの前後方向（＋Ｙ方向を開閉システムの前方向（部屋の室外側の方向）、−Ｙ方向を開閉システムの後方向（部屋の室内側の方向））、図１のＺ方向を開閉システムの上下方向（＋Ｚ方向を開閉システムの上方向、−Ｚ方向を開閉システムの下方向）と称する。
【００２８】
図１から図４に示すように、開閉システム１は、後述する開閉体２０の開閉制御を行うためのシステムであり、概略的に、枠体１０、開閉体２０、戸尻側ヒンジ部６０、開閉駆動部７０、施錠装置８０、及び制御装置９０を備えている。ただし、開閉システム１に関する特記しない構成については、従来と同様であるものとして説明を省略する。なお、開閉システム１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。なお、上述した「枠体１０」、「開閉体２０」、及び「戸尻側ヒンジ部６０」からなるものは、特許請求の範囲における「折り戸」に対応する。
【００２９】
また、この開閉システム１を構成する各構成要素の接続形態については、制御ユニット９９と、開閉駆動部７０及び施錠装置８０の各々と図示しない配線を介して電気的に接続されている。これにより、制御ユニット９９と、開閉駆動部７０又は施錠装置８０との相互間で通信又は電力供給を直接的又は間接的に行うことができる。
【００３０】
（構成−枠体）
枠体１０は、躯体の壁部２（建物の壁）に形成された開口部３の周縁に設置されるものである。この枠体１０は、複数の鋼製（一例として、スチール、ステンレス等）の枠材を相互に組み合わせることによって構成されており、具体的には、図１に示すように、開口部３の戸先側に位置する戸先側縦枠材１１、開口部３の戸尻側に位置する戸尻側縦枠材１２、及び開口部３の上側に位置する上枠材１３を備えている。そして、これら戸先側縦枠材１１、戸尻側縦枠材１２、及び上枠材１３は、それぞれ開口部３の周縁における壁部２に対して固定部材１４を介して固定具等によって固定されている。なお、実施の形態では、図１に示すように、戸先側縦枠材１１及び戸尻側縦枠材１２の各々の下端部及びその近傍部分が建物の床面５よりも下方に位置するように、戸先側縦枠材１１及び戸尻側縦枠材１２は設置されている。
【００３１】
ここで、上枠材１３は、開閉システム１の各部を収納するためのものである。この上枠材１３は、左右方向に略沿って長尺な中空体であり、壁部２に取り付けられている。また、この上枠材１３の内部には、開閉駆動部７０、施錠装置８０、及び後述する制御装置９０の制御ユニット９９が収納されている。また、この上枠材１３の一側面（例えば、部屋の室外側の側面）に点検口１３ａと、上枠材１３に対して開閉自在に取り付けられた点検カバー１３ｂであって、点検口１３ａを覆うための点検カバー１３ｂとを設けているので、上枠材１３に収納されている開閉駆動部７０等を点検できる。なお、この上枠材１３の形成方法については任意であるが、例えば、折り曲げ成形された複数のスチール製の板状体を相互に接続して形成してもよい。
【００３２】
また、図２に示すように、この上枠材１３には、ガイドレール１５が設けられている。ガイドレール１５は、開閉体２０を開口部３の開閉方向（具体的には、左右方向）に沿って移動するように案内するものである。このガイドレール１５は、図２に示すように、上枠材１３の下端部の一部を窪ませることにより形成されており、上枠材１３の下端部の左右方向の略全長にわたって設けられている。
【００３３】
（構成−開閉体）
図１に戻り、開閉体２０は、開閉駆動部７０によって開閉方向（左右方向）に略沿って移動させることで、全開状態、全閉状態、又は半開状態とするものであり、図１、図２、図４に示すように、第１開閉体本体３０ａ、第２開閉体本体３０ｂ、中間ヒンジ部４０、被ガイド部５１、戸先側戸当たり部５２、戸尻側戸当たり部５３、及び中間戸当たり部５４を備えている。なお、これら「第１開閉体本体３０ａ」及び「第２開閉体本体３０ｂ」からなるものは、特許請求の範囲における「開閉体本体」に対応する。
【００３４】
（構成−開閉体−第１開閉体本体、第２開閉体本体）
図１に戻り、第１開閉体本体３０ａは、開閉体２０の基本構造体の一部であって、戸尻側ヒンジ部６０によって軸支されるものである。第２開閉体本体３０ｂは、開閉体２０の基本構造体の他の一部であって、第１開閉体本体３０ａよりも戸先側に位置するものである。これら第１開閉体本体３０ａ及び第２開閉体本体３０ｂの各々は、例えば公知の折り戸用の開閉体本体等を用いて構成されており、具体的には、図１から図４に示すように、開閉体フレーム３１、室外側表面材３２、室内側表面材３３、芯材３４、窓部３５、及び取手部３６を備えている。
【００３５】
このうち、開閉体フレーム３１は、第１開閉体本体３０ａ（又は第２開閉体本体３０ｂ）の剛性を主として担うものである。この開閉体フレーム３１は、複数の鋼製の長尺な力骨を組み合わせることによって、正面形状が矩形環状となるように形成されており、具体的には、左右一対の縦力骨３１ａ、３１ｂ及び上下一対の横力骨３１ｃ、３１ｄから構成されている。このうち、左右一対の縦力骨は、上下方向に略沿うように配置されており、上下一対の横力骨は、長手方向の長さが相互に略同一となるように形成されており、左右方向に略沿うように配置されている。以下では、必要に応じて、縦力骨３１ｃ、３１ｄのうち、戸尻側の縦力骨３１ａを「戸尻側縦力骨３１ａ」と称し、戸先側の縦力骨３１ｂを「戸先側縦力骨３１ｂ」と称する。また、横力骨３１ｃ、３１ｄのうち、上側の横力骨３１ｃを「上側横力骨３１ｃ」と称し、下側の横力骨３１ｄを「下側横力骨３１ｄ」と称する。
【００３６】
また、室外側表面材３２及び室内側表面材３３は、開閉体フレーム３１及び芯材３４を覆うためのものである。これら室外側表面材３２及び室内側表面材３３は、例えば公知の表面材（一例として、鋼製の化粧板）等を用いて構成され、開閉体フレーム３１及び芯材３４を覆うように（ただし、窓部３５は除く）設けられており、具体的には、図２に示すように、開閉体フレーム３１及び芯材３４を部屋の室内側及び部屋の室外側から挟むように配置され、開閉体フレーム３１及び芯材３４に対して接着剤等によって固定されている。また、芯材３４は、第１開閉体本体３０ａ（又は第２開閉体本体３０ｂ）の内部に充填されるものであり、例えば公知の芯材等を用いて構成され、図２から図４に示すように、開閉体フレーム３１、室外側表面材３２、及び室内側表面材３３にて囲繞された空間内に充填されている。また、窓部３５は、扉の意匠性や採光性を高めるためのものである。この窓部３５は、例えば公知のガラス材等で構成されており、図１に示すように、第１開閉体本体３０ａ（又は第２開閉体本体３０ｂ）に形成された開口部（図示省略）内に設けられ、開口部の周縁に設けられた枠材（図示省略）に対して固定具等によって固定されている。また、取手部３６は、通行対象（具体的には、人）が開閉体２０の開閉操作を行うためのものであり、例えば公知の折り戸用の取手（例えば、非突出状の取手）を用いて構成されており、図１に示すように、第１開閉体本体３０ａにおける部屋の室外側及び室内側にそれぞれ配置されている。
【００３７】
（構成−開閉体−中間ヒンジ部）
中間ヒンジ部４０は、第１開閉体本体３０ａを第２開閉体本体３０ｂに対して回動自在に軸支するためのヒンジ部である。この中間ヒンジ部４０は、図４、図５に示すように、第１開閉体本体３０ａと第２開閉体本体３０ｂとの相互間において上下方向の略全長にわたって設けられており、第１接続部４１、第２接続部４２、及び連結部４３を備えている。
【００３８】
（構成−開閉体−中間ヒンジ部−第１接続部）
第１接続部４１は、第１開閉体本体３０ａに接続されるものである。この第１接続部４１は、Ｘ−Ｙ平面に沿った断面形状がＺ字となるように構成された鋼製の板状体であり、図５に示すように、第１開閉体本体３０ａの戸先側の端面に接続される第１側片４１ａと、連結部４３に接続される第２側片４１ｂと、第１側片４１ａと第２側片４１ｂとを連結する第３側片４１ｃとを備えている。
【００３９】
（構成−開閉体−中間ヒンジ部−第２接続部）
第２接続部４２は、第２開閉体本体３０ｂに接続されるものである。この第２接続部４２は、Ｘ−Ｙ平面に沿った断面形状がＺ字となるように構成された鋼製の板状体であり、図５に示すように、第２開閉体本体３０ｂの戸尻側の端面に接続される第１側片４２ａと、連結部４３に接続される第２側片４２ｂと、第１側片４２ａと第２側片４２ｂとを連結する第３側片４２ｃとを備えている。
【００４０】
（構成−開閉体−中間ヒンジ部−連結部）
連結部４３は、第１接続部４１及び第２接続部４２の各々を回動自在に連結するためのものである。この連結部４３は、Ｘ−Ｙ平面に沿った断面形状が略コ字状となるように形成された鋼製の板状体であり、図５に示すように、第１接続部４１及び第２接続部４２よりも部屋の室内側に設けられており、具体的には、連結部４３の内部に第１接続部４１の第２側片４１ｂの先端部及び第２接続部４２の第２側片４２ｂの先端部が収容されるように配置され、第１接続部４１の第２側片４１ｂ及び第２接続部４２の第２側片４２ｂに対して嵌合構造等によって回動自在に接続されている。
【００４１】
（構成−開閉体−中間ヒンジ部−その他の構成）
また、中間ヒンジ部４０の具体的な構成については任意であるが、実施の形態では、第１接続部４１の第１側片４１ａと第２接続部４２の第１側片４２ａとの相互間に隙間４４（以下、「中間ヒンジ側隙間４４」と称する）が形成されるように構成されている。具体的には、第１接続部４１の第３側片４１ｃの幅（左右方向の長さ）と第２接続部４２の第３側片４２ｃの幅（左右方向の長さ）との合計長さを、所定長さ以上（例えば、２５ｍｍ以上等）に設定している。これにより、通行対象が第１開閉体本体３０ａ又は第２開閉本体の近傍に位置する際に、第１開閉体本体３０ａと第２開閉体本体３０ｂとの相互間で通行対象（例えば、人の指等）が挟み込まれることを回避できる。
【００４２】
このように構成された中間ヒンジ部４０によって、第１開閉体本体３０ａを第２開閉体本体３０ｂに対して回動自在に軸支でき、全閉状態において開口部３内において第１開閉体本体３０ａ及び第２開閉体本体３０ｂを左右方向に沿って並設させることや、全開状態において第１開閉体本体３０ａ及び第２開閉体本体３０ｂを開口部３よりも前後方向に向けて張り出させること（いわゆる開閉体２０の折り畳み）が可能となる。
【００４３】
（構成−開閉体−被ガイド部）
図１に戻り、被ガイド部５１は、第１開閉体本体３０ａ及び第２開閉体本体３０ｂを上枠材１３のガイドレール１５上をスライド移動させるためのものである。この被ガイド部５１は、例えば公知の折り戸用のガイドローラ等を用いて構成され、図１、図２に示すように第２開閉体本体３０ｂの上端部において、ガイドレール１５上（具体的には、図１に示すように、ガイドレール１５に設けられたストッパ１６であって戸尻側ヒンジ部６０の近傍に設けられたストッパ１６からガイドレール１５の戸先側の端部に至る範囲）に摺動可能となるように取り付けられていると共に、第２開閉体本体３０ｂに対して固定具等によって接続されている。
【００４４】
（構成−開閉体−戸先側戸当たり部）
図１に戻り、戸先側戸当たり部５２は、第２開閉体本体３０ｂの戸先側の端部と戸先側縦枠材１１との間に通行対象が挟まれた時の衝撃を緩和するためのものである。この戸先側戸当たり部５２は、例えば公知の緩衝材（一例として、緩衝ゴム等）を用いて構成され（なお、戸尻側戸当たり部５３の構成、及び中間戸当たり部５４の構成についても同様とする）、図１、図４に示すように、第２開閉体本体３０ｂの戸先側の端部の略全体にわたって設けられており、第２開閉体本体３０ｂに対して固定具又は接着剤等によって固定されている。
【００４５】
（構成−開閉体−戸尻側戸当たり部）
図１に戻り、戸尻側戸当たり部５３は、第１開閉体本体３０ａの戸尻側の端部と戸尻側縦枠材１２との接触時の衝撃を緩和するためのものである。この戸尻側戸当たり部５３は、図１、図４に示すように、第１開閉体本体３０ａの戸尻側の端部の略全体にわたって設けられており、第１開閉体本体３０ａに対して固定具又は接着剤等によって固定されている。
【００４６】
（構成−開閉体−中間戸当たり部）
図１に戻り、中間戸当たり部５４は、全閉状態において中間ヒンジ側隙間４４を維持するためのものである。この中間戸当たり部５４は、図１、図４に示すように、全閉状態において中間ヒンジ側隙間４４に位置するように複数配置されており、各中間ヒンジ部４０の第１接続部４１の第１側片４１ａ（又は第２接続部４２の第１側片４２ａ）に対して固定具又は接着剤等によって固定されている。
【００４７】
また、中間戸当たり部５４の形状及び大きさについては任意であるが、例えば以下の通りに設定してもよい。すなわち、図１、図４に示すように、中間戸当たり部５４の平面形状については、矩形状に設定している。また、中間戸当たり部５４の幅については、中間ヒンジ側隙間４４の幅と略同一に設定している。また、中間戸当たり部５４の高さについては、第１接続部４１の第１側片４１ａ（又は第２接続部４２の第１側片４２ａ）の高さよりも低く（短く）設定している。これにより、全閉状態において中間ヒンジ側隙間４４を維持でき、全閉位置がばらつくことを回避できる。
【００４８】
（構成−戸尻側ヒンジ部）
図１に戻り、戸尻側ヒンジ部６０は、開閉体２０を枠体１０に対して回動自在（具体的には、開口部３から部屋の室外側に至る範囲で回動自在）に軸支するためのヒンジ部である。この戸尻側ヒンジ部６０は、例えば公知のピボットヒンジ等を用いて構成されており、図１に示すように、第１開閉体本体３０ａの戸尻側の上端側及び下端側にそれぞれ設けられている。
【００４９】
ここで、上方側に位置する戸尻側ヒンジ部６０を介して第１開閉体本体３０ａを上枠材１３に対して固定する方法については任意であるが、例えば、図１に示すように、上記戸尻側ヒンジ部６０の上側取付片６１を第１開閉体本体３０ａの上側横力骨３１ｃに対して固定具等によって接続すると共に、上記戸尻側ヒンジ部６０の枠体側取付片（図示省略）を連結部材（図示省略）を介して上枠材１３に対して固定具等によって接続してもよい。なお、上記戸尻側ヒンジ部６０の軸部６６は、上側取付片６１に嵌合されているものとする。また、下方側に位置する戸尻側ヒンジ部６０を介して第１開閉体本体３０ａを戸尻側縦枠材１２に対して固定する方法については任意であるが、例えば、図１に示すように、上記戸尻側ヒンジ部６０の下側取付片６２を第１開閉体本体３０ａの下側横力骨３１ｄに対して直接的又は間接的に固定具等によって接続すると共に、上記戸尻側ヒンジ部６０の枠体側取付片６３を連結部材６４を介して戸尻側縦枠材１２に対して固定具等によって接続してもよい。なお、実施の形態では、下方側に位置する戸尻側ヒンジ部６０が外部に露出することを抑制するために、下方側に位置する戸尻側ヒンジ部６０の上端部（ただし、上記戸尻側ヒンジ部６０の軸部６７は除く）を覆うための第１カバー部６５（例えば、平面形状が矩形状である化粧板等）が設けられてもよい。
【００５０】
このような戸尻側ヒンジ部６０により、例えば、図４（ｂ）に示すように、開閉体２０を全閉位置から全開位置に向けてスライド移動させた際に、図４（ｂ）の想像線で示す軌跡を描きながら開閉体２０を折り畳む（具体的には、開閉体２０が部屋の室外側に向けてせり出すように折り畳む）ことが可能となる。
【００５１】
（構成−開閉駆動部）
開閉駆動部７０は、電動で開閉体２０を開閉移動させるための開閉駆動手段である。この開閉駆動部７０は、例えば公知の折り戸用の開閉駆動部等を用いて構成されており、具体的には、駆動源としての駆動部本体（例えば、公知のモータ）と、上方側に位置する戸尻側ヒンジ部６０の軸部６６と当接可能な位置に配置された伝達部であって、駆動部本体からの駆動力を軸部６６に対して伝達するための伝達部とを備えている（いずれも図示省略）。
【００５２】
（構成−施錠装置）
図１に戻り、施錠装置８０は、開閉体２０を施錠するための装置である。この施錠装置８０は、例えば公知の電気錠（一例として、図示しないデッドボルトを備える電気錠）等を用いて構成されており、図１に示すように、上枠材１３の内部において戸尻側の位置且つ下方位置に設けられている。
【００５３】
ここで、施錠装置８０の施錠動作については任意であるが、例えば、全閉状態において制御装置９０から施錠を指示する信号を受信した場合に、デッドボルトを下方に向けて張り出すことで第１開閉体本体３０ａの上端部に設けられたデッドボルト受け３７に係止させることにより、開閉体２０を施錠することができる。また、施錠装置８０の解錠動作については任意であるが、施錠装置８０によって開閉体２０が施錠されている状態において制御装置９０から解錠を指示する信号を受信した場合に、張り出したデッドボルトを張り出す前の状態に戻すことでデッドボルトとデッドボルト受け３７との係止を解除することにより、開閉体２０を解錠することができる。
【００５４】
（構成−制御装置）
制御装置９０は、開閉体２０の開閉制御を行う装置であり、図１から図４、図６に示すように、天井側検知部９２、上枠材側検知部９３、開口部側検知部９４、第１開スイッチ９７、第２開スイッチ９８、及び制御ユニット９９を備えている。
【００５５】
（構成−制御装置−天井側検知部）
図１に戻り、天井側検知部９２は、開口部３から見込み方向側に向けて所定距離離れた位置に通行対象が存在するか否かを検知する検知手段である。ここで、「開口部３から見込み方向側に向けて所定距離離れた位置」とは、天井側検知部９２によって開閉体２０の状態に関わらず開閉体２０が検知されない位置であって、当該位置に通行対象が存在した場合には、通行対象が開口部３を通過する確率が高くなると推定される位置を意味する。この天井側検知部９２は、例えば公知の検知センサ（一例として、量子型の赤外線センサ）を用いて構成されており（なお、上枠材側検知部９３についても同様とする）、図１、図２に示すように、躯体の天井部４のうち部屋の室外側の部分に設けられている。
【００５６】
また、天井側検知部９２が量子型の赤外線センサである場合の検知動作については、例えば、天井側検知部９２から送信された赤外線が通行対象によって反射され、当該反射された赤外線が天井側検知部９２によって受信された場合には、開閉体２０の開放を指示する旨を示す情報を含む信号（以下、「開放信号」と称する）を出力する。一方、天井側検知部９２から送信された赤外線が床面５によって反射され、当該反射された赤外線が天井側検知部９２によって受信された場合には、開放信号を出力しない（なお、上枠材側検知部９３の検知動作についても同様とする）。
【００５７】
（構成−制御装置−上枠材側検知部）
上枠材側検知部９３は、開口部３から見込み方向側に向けて所定距離離れた位置に通行対象が存在するか否かを検知する検知手段である。この上枠材側検知部９３は、図２に示すように、上枠材１３における部屋の室内側の部分（具体的には、当該部分の左右方向の中央部）に設けられており、上枠材１３に対して固定具等によって固定されている。
【００５８】
（構成−制御装置−開口部側検知部）
開口部側検知部９４は、通行対象が開閉体２０に挟まれ、又は接触することを回避するために、開口部３に通行対象が存在するか否かを検知する検知手段である。この開口部側検知部９４は、例えば、透過型の光電センサ等の公知の検知センサを用いて構成されている。具体的には、図２、図４に示すように、検知光を照射する送光部９４ａと、送光部９４ａから照射された検知光を受光する受光部９４ｂとを備えている。このうち、送光部９４ａは、戸先側縦枠材１１における左右方向の内側の端部において上下方向に沿って相互に間隔を隔てて複数並設されている。具体的には、送光部９４ａから照射された検知光が、開閉体２０の状態に関わらず開閉体２０に照射されない位置（すなわち、開閉体２０が検知されない位置）にそれぞれ配置されており、戸先側縦枠材１１に対して固定具等によってそれぞれ固定されている（又は、戸先側縦枠材１１内に埋め込まれてもよい）。また、受光部９４ｂは、戸尻側縦枠材１２における左右方向の内側の端部において各送光部９４ａと対向するように複数設けられており、戸尻側縦枠材１２に対してそれぞれ固定されている（又は、戸尻側縦枠材１２内に埋め込まれてもよい）。
【００５９】
また、この開口部側検知部９４が透過型の光電センサである場合の検知動作については任意であるが、例えば、送光部９４ａから照射された検知光が通行対象に遮られることにより、この検知光が受光部９４ｂによって受光されなかった場合には、開放信号を出力する。一方、送光部９４ａから照射された検知光が受光部９４ｂによって受光された場合には、受光部９４ｂは開放信号を出力しない。なお、開放信号の出力については、通行対象の安全性を確保できるように、受光部９４ｂによって検知光が受光されていない状態では受光部９４ｂによって検知光が受光されるまで継続される。
【００６０】
（構成−制御装置−第１開スイッチ）
図１に戻り、第１開スイッチ９７は、開閉体２０の開放を指示するスイッチである。この第１開スイッチ９７は、例えば無線式又は有線式の操作スイッチ等を用いて構成されており（なお、第２開スイッチ９８についても同様とする）、図１に示すように、壁部２のうち部屋の室外側の部分及び部屋の室内側の部分（あるいは、部屋の室外側の部分又は部屋の室内側の部分のいずれか一方）に設けられている。また、第１開スイッチ９７の設置方法については任意であるが、例えば、通行対象（具体的には、人）が手で操作しやすい位置に設置してもよく、一例として、床面５から上方に１００ｃｍ程度離れた位置に設置してもよい。
【００６１】
（構成−制御装置−第２開スイッチ）
第２開スイッチ９８は、開閉体２０の開放を指示するスイッチである。この第２開スイッチ９８は、図１に示すように、壁部２のうち部屋の室外側の部分及び部屋の室内側の部分（あるいは、部屋の室外側の部分又は部屋の室内側の部分のいずれか一方）に設けられている。また、第２開スイッチ９８の設置方法については任意であるが、例えば、第１開スイッチ９７よりも低い位置であって、通行対象（具体的には、人）が足で操作しやすい位置に設置してもよく、一例として、床面５から上方に１０ｃｍ程度離れた位置に設置してもよい。
【００６２】
（構成−制御装置−制御ユニット）
制御ユニット９９は、制御装置９０を制御するためのユニットであり、図６に示すように、入力部９９ａ、出力部９９ｂ、電源部９９ｃ、制御部９９ｄ、及び記憶部９９ｅを備えている。
【００６３】
（構成−制御装置−制御ユニット−入力部）
入力部９９ａは、信号の入力を天井側検知部９２、上枠材側検知部９３、開口部側検知部９４、第１開スイッチ９７、及び第２開スイッチ９８から受け付ける入力手段である。この入力部９９ａは、例えば公知の入力端子等を用いて構成されており、図示しない配線等を介して天井側検知部９２、上枠材側検知部９３、開口部側検知部９４、第１開スイッチ９７、及び第２開スイッチ９８の各々と接続されている。
【００６４】
（構成−制御装置−制御ユニット−出力部）
出力部９９ｂは、信号を開閉駆動部７０に出力する出力手段であり、例えば公知の出力端子等を用いて構成されており、図示しない配線を介して開閉駆動部７０及び施錠装置８０の各々と接続されている。
【００６５】
（構成−制御装置−制御ユニット−電源部）
電源部９９ｃは、図示しない商用電源又は電池（例えば、バッテリ等）から供給された電力を、図示しない配線を介して制御装置９０の各部に供給すると共に、図示しない配線を介して開閉駆動部７０及び施錠装置８０にも供給する電源手段である。
【００６６】
（構成−制御装置−制御ユニット−制御部）
制御部９９ｄは、制御装置９０の各部を制御する制御手段である。この制御部９９ｄは、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラム（例えば、開閉体２０を開閉移動させるための開閉処理を行うための公知のプログラム等）や各種のデータを格納するためのＲＡＭの如き内部メモリを備えて構成されるコンピュータである。
【００６７】
（構成−制御装置−制御ユニット−記憶部）
記憶部９９ｅは、制御装置９０の動作に必要なプログラム及び各種のデータを記憶する記憶手段であり、書き換え可能な記録媒体を用いて構成され、例えばフラッシュメモリ等の不揮発性記録媒体を用いることができる。
【００６８】
（構成−挟込防止構造）
図１に戻り、次に、開閉体２０の挟込防止構造について説明する。実施の形態に係る開閉システム１においては、上述したように、通行対象が開口部３の近傍に位置する場合でも開口部側検知部９４によって検知されない場合があると共に、上記図４（ｂ）の開閉体２０の開閉移動の軌跡が通行対象にとって予測しづらいので、通行対象が第１開閉体本体３０ａ又は第２開閉体本体３０ｂと床面５との間で挟み込まれるおそれがある。そこで、実施の形態では、開閉体２０は、上記挟み込みを防止するための挟込防止構造を備えている。この挟込防止構造の特徴については、以下に示す通りとなる。
【００６９】
（構成−挟込防止構造−第１の特徴）
まず、挟込防止構造の第１の特徴については、図１から図３に示すように、開閉体２０に第１挟込防止部１００ａ及び第２挟込防止部１００ｂが設けられている。
【００７０】
第１挟込防止部１００ａは、通行対象が第１開閉体本体３０ａの近傍に位置する際に当該通行対象が第１開閉体本体３０ａと床面５との間で挟み込まれることを防止するための挟込防止手段である。また、第２挟込防止部１００ｂは、通行対象が第２開閉体本体３０ｂの近傍に位置する際に当該通行対象が第２開閉体本体３０ｂと床面５との間で挟み込まれることを防止するための挟込防止手段である。これら第１挟込防止部１００ａ及び第２挟込防止部１００ｂは、長尺体にて形成されており、図１から図３に示すように、開閉体２０の下方側において、第１挟込防止部１００ａ及び第２挟込防止部１００ｂの各々の長手方向が左右方向に沿うように配置されている。具体的には、第１挟込防止部１００ａは、第１開閉体本体３０ａと床面５との間のうち戸尻側ヒンジ部６０に対応する部分以外の部分の略全体にわたって配置されている。また、第２挟込防止部１００ｂは、第２開閉体本体３０ｂと床面５との間の略全体にわたって配置されている。
【００７１】
また、第１挟込防止部１００ａ及び第２挟込防止部１００ｂの具体的な構成については任意であるが、実施の形態では以下の通りに構成されている。すなわち、図１から図３に示すように、第１挟込防止部１００ａ及び第２挟込防止部１００ｂの各々が、空間部１０１及び塞ぎ部１０２を備えている。
【００７２】
（構成−挟込防止構造−第１の特徴−空間部）
図１に戻り、空間部１０１は、通行対象の挟み込みを防止するための空間であり、図１に示すように、第１開閉体本体３０ａと床面５との間及び第２開閉体本体３０ｂと床面５との間において、当該空間部の上端が第１開閉体本体３０ａの下端部のうち戸尻側ヒンジ部６０に対応する部分よりも上方に位置するように設けられている。
【００７３】
この空間部１０１の具体的な大きさについては、通行対象の挟み込みを防止できる限りに設定することができるが、実施の形態では、以下の通りに設定している。すなわち、図１から図３に示すように、第１挟込防止部１００ａの空間部１０１の左右方向の長さについては、第１開閉体本体３０ａの下端部のうち戸尻側ヒンジ部６０に対応する部分以外の部分の左右方向の長さと略同一に設定し、第２挟込防止部１００ｂの空間部１０１の左右方向の長さについては、第２開閉体本体３０ｂの左右方向の長さと略同一に設定している。また、第１挟込防止部１００ａの空間部１０１の前後方向の長さについては、第１開閉体本体３０ａの前後方向の長さと略同一に設定し、第２挟込防止部１００ｂの空間部１０１の前後方向の長さについては、第２開閉体本体３０ｂの前後方向の長さと略同一に設定している。また、第１挟込防止部１００ａ及び第２挟込防止部１００ｂの各々の空間部１０１の上下方向の長さについては、通行対象の所定部位（例えば、通行対象が人である場合に、足の指又は甲）の上下方向の長さよりも長く設定しており、一例として、５０ｍｍから１００ｍｍ程度に設定してもよい。
【００７４】
また、空間部１０１の形成方法については任意であるが、例えば以下の通りに形成してもよい。すなわち、第１挟込防止部１００ａの空間部１０１については、第１開閉体本体３０ａの室外側表面材３２及び室内側表面材３３における下端部からそれよりも上側に至る部分を、当該部分における戸尻側ヒンジ部６０に対応する部分がそれ以外の部分よりも下方に突出するように段差状に切り欠くと共に、第１開閉体本体３０ａの開閉体フレーム３１のうち戸先側縦力骨３１ｂの上下方向の長さを戸尻側縦力骨３１ａよりも短く設定し、且つ下側横力骨３１ｄを上記室外側表面材３２（又は上記室内側表面材３３）の下端部の形状に合わせて成形することにより、形成してもよい。この場合には、例えば、使用時の安全性を高めるために、第１開閉体本体３０ａにおける戸尻側ヒンジ部６０に対応する部分の端部のうち戸先側の端部に、当該端部全体を覆うための第２カバー部３８（例えば、平面形状がコ字状である化粧板等）が取り付けられてもよい。また、第２挟込防止部１００ｂの空間部１０１については、第２開閉体本体３０ｂの上下方向の長さを開口部３の上下方向の長さよりも短く、且つ第２挟込防止部１００ｂの空間部１０１の上端部が第１挟込防止部１００ａの空間部１０１の上端部と略面一となるように第２開閉体本体３０ｂを構成することにより、形成してもよい。
【００７５】
このような空間部１０１の構成により、空間部１０１によって通行対象が第１開閉体本体３０ａ又は第２開閉体本体３０ｂと床面５との間で挟み込まれることを防止できる。
【００７６】
（構成−挟込防止構造−第１の特徴−塞ぎ部）
図１に戻り、塞ぎ部１０２は、空間部１０１を塞ぐためのものである。この塞ぎ部１０２は、略長尺状体にて形成されており、図１から図３に示すように、第１挟込防止部１００ａ及び第２挟込防止部１００ｂの各々の空間部１０１において塞ぎ部１０２の長手方向が左右方向に略沿うように設けられている。
【００７７】
また、塞ぎ部１０２の具体的な大きさについては任意であるが、実施の形態では以下の通りに設定している。すなわち、第１挟込防止部１００ａ及び第２挟込防止部１００ｂの各々の塞ぎ部１０２の左右方向の長さについては、全閉状態において当該塞ぎ部１０２の相互間にほとんど隙間が形成されなくなる程度の長さに設定している。例えば、第１挟込防止部１００ａの塞ぎ部１０２の左右方向の長さについては、第１挟込防止部１００ａの空間部１０１の左右方向の長さよりも長く設定し、第２挟込防止部１００ｂの塞ぎ部１０２の左右方向の長さについては、第２挟込防止部１００ｂの空間部１０１の左右方向の長さよりも長く設定してよい。また、第１挟込防止部１００ａの塞ぎ部１０２の前後方向の長さについては、第１挟込防止部１００ａの空間部１０１の前後方向の長さと略同一（又はその長さ以下）設定し、第２挟込防止部１００ｂの塞ぎ部１０２の前後方向の長さについては、第２挟込防止部１００ｂの空間部１０１の前後方向の長さと略同一（又はその長さ以下）に設定している。また、第１挟込防止部１００ａの塞ぎ部１０２の上下方向の長さについては、第１挟込防止部１００ａの空間部１０１の上下方向の長さよりも短く設定し、第２挟込防止部１００ｂの塞ぎ部１０２の上下方向の長さについては、第２挟込防止部１００ｂの空間部１０１の上下方向の長さよりも短く設定している。
【００７８】
また、塞ぎ部１０２の具体的な構成については任意であるが、実施の形態では、以下の通りに構成されている。すなわち、図３に示すように、側面形状が下方側に向けて開放された略コ字状となる板状体にて形成されており、具体的には、ベース片１１０、第１突出片１２０、及び第２突出片１３０を備えている。
【００７９】
このうち、ベース片１１０は、第１突出片１２０及び第２突出片１３０を支持するための側片であり、図３に示すように、略水平に配置されており、第１開閉体本体３０ａ（又は第２開閉体本体３０ｂ）の下端部に取り付けられている。また、第１突出片１２０は、第１挟込防止部１００ａ（又は第２挟込防止部１００ｂ）の基本構造体の一部であり、図３に示すように、ベース片１１０から下方に向けて張り出すように設けられている。具体的には、ベース片１１０の見込方向の一方側の端部（図３では、部屋の室外側の端部）に配置され、ベース片１１０に対して接続されている。また、第２突出片１３０は、第１挟込防止部１００ａ（又は第２挟込防止部１００ｂ）の基本構造体の他の一部であり、図３に示すように、第１突出片１２０と略同一の形状及び大きさで構成され、ベース片１１０から下方に向けて張り出すように設けられている。具体的には、ベース片１１０の見込方向の他方側の端部（図３では、部屋の室内側の端部）において配置され（より具体的には、第１突出片１２０と間隔を隔てて配置され）、ベース片１１０に対して接続されている。なお、上述した「第１突出片１２０」及び「第２突出片１３０」は、特許請求の範囲における「突出片」にそれぞれ対応する。
【００８０】
また、塞ぎ部１０２の設置方法については任意であるが、実施の形態では、図１に示すように、第１挟込防止部１００ａ及び第２挟込防止部１００ｂの各々の塞ぎ部１０２を、第１開閉体本体３０ａと第２開閉体本体３０ｂとにそれぞれ別体で設けている。また、第１挟込防止部１００ａ及び第２挟込防止部１００ｂの各々の塞ぎ部１０２の下端部と、第１開閉体本体３０ａの下端部の部分のうち戸尻側ヒンジ部６０に対応する部分とが略面一となるように、当該塞ぎ部１０２を設けている。このような設置方法により、第１挟込防止部１００ａ及び第２挟込防止部１００ｂの各々の塞ぎ部１０２を第１開閉体本体３０ａと第２開閉体本体３０ｂとにわたって一体で設けた場合に比べて、開閉体２０を容易に折り畳むことができ、開閉体２０の開閉移動をスムーズに行うことが可能となる。また、第１挟込防止部１００ａ及び第２挟込防止部１００ｂの各々の塞ぎ部１０２の下端部と、第１開閉体本体３０ａの下端部の部分のうち戸尻側ヒンジ部６０に対応する部分とを非面一とした場合に比べて、これら塞ぎ部１０２が目立つことを抑制でき、開閉体２０の意匠性を維持しやすくなる。
【００８１】
また、塞ぎ部１０２の材質については、少なくとも第１突出片１２０及び第２突出片１３０を弾性変形させることが可能な材質で構成しており、具体的には、ベース片１１０、第１突出片１２０、及び第２突出片１３０をゴム材料で構成している。ただし、これに限らず、例えば、ゴム材料以外の樹脂系の弾性材料で構成してもよい。あるいは、第１突出片１２０及び第２突出片１３０のみをゴム材料で構成し、ベース片１１０を塑性材料（一例として、樹脂系の塑性材料等）で構成してもよい。これにより、例えば第１突出片１２０又は第２突出片１３０が通行対象又は床面５（具体的には非平坦状の床面５）との接触により変形しても、変形する前の状態に自動的に戻すことができ、塞ぎ部１０２の形状を維持しやすくなる。
【００８２】
このような塞ぎ部１０２の構成により、第１開閉体本体３０ａ又は第２開閉体本体３０ｂと床面５との間で通行対象が挟まれることを防止しながら、空間部１０１を塞ぐことができる。よって、全閉状態において開口部３よりも見込方向の一方側の空間が空間部１０１を介して見込方向の他方側に露出することを回避できると共に、通行対象が足等を故意に空間部１０１に入れることを抑制できる。また、塞ぎ部１０２がベース片１１０、第１突出片１２０、及び第２突出片１３０を備えているので、比較的簡易な構成且つ安価に製造でき、第１挟込防止部１００ａ及び第２挟込防止部１００ｂの製造コストを低減できる。また、第１突出片１２０又は第２突出片１３０のいずれか一方のみを備える場合に比べて、第１挟込防止部１００ａ及び第２挟込防止部１００ｂの各々の見込方向の一方側の外観と見込方向の他方側の外観とを同一又は類似にできることから、開閉体２０の意匠性を維持しやすくなる。
【００８３】
以上のような第１の特徴により、第１挟込防止部１００ａ及び第２挟込防止部１００ｂによって通行対象が第１開閉体本体３０ａ又は第２開閉体本体３０ｂと床面５との間で挟み込まれることを防止でき、通行対象の安全性を確保できる。
【００８４】
（構成−挟込防止構造−第２の特徴）
次に、挟込防止構造の第２の特徴については、第１挟込防止部１００ａ及び第２挟込防止部１００ｂの各々における第１突出片１２０及び第２突出片１３０の構成の詳細について以下の通りに構成している。なお、これら第１突出片１２０の構成と第２突出片１３０の構成とはそれぞれ略同一であるので、以下では第１挟込防止部１００ａの第１突出片１２０の構成のみについて説明する。
【００８５】
すなわち、第１突出片１２０の厚さについては、図３に示すように、下方に向かうにつれて薄く設定している。具体的には、第１突出片１２０の上側部分の厚さについては、第１突出片１２０の形状を維持可能な厚さに設定することが望ましく、一例として、実験結果等に基づいて設定してもよい。また、第１突出片１２０の下側部分の厚さについては、第１突出片１２０の上側部分に比べて変形しやすく、且つ弾性変形後に変形前の状態に戻すことが可能な厚さに設定することが望ましく、一例として、第１突出片１２０の上側部分の半分以下程度に設定してもよい。これにより、第１突出片１２０の下側部分が変形しやすくなるため、通行対象が第１突出片１２０と接触した際の負荷を軽減できる。また、第１突出片１２０の上側部分を厚く設定でき、第１突出片１２０の形状を維持しやすくなる。
【００８６】
また、図３に示すように、第１突出片１２０は、下方に向かうにつれてベース片１１０の見込方向の中央側に向けて傾斜するように構成されている。具体的には、第１突出片１２０は、第１突出片１２０の下端部が第１突出片１２０の上端部よりも部屋の室内側に位置するように傾斜して構成されている。これにより、第１突出片１２０を上下方向に沿うように直線状に構成した場合に比べて、第１突出片１２０全体をベース片１１０の見込方向の中央側に変形させやすくなる。
【００８７】
このような第２の特徴により、通行対象が第１挟込防止部１００ａ又は第２挟込防止部１００ｂの第１突出片１２０又は第２突出片１３０と接触した際に、これら第１突出片１２０又は第２突出片１３０を確実に弾性変形させることができ、これら第１突出片１２０及び第２突出片１３０を確実に機能させることが可能となる。
【００８８】
（構成−挟込防止構造−第３の特徴）
次いで、挟込防止構造の第３の特徴については、第１挟込防止部１００ａ及び第２挟込防止部１００ｂの各々におけるベース片１１０の構成の詳細について以下の通りに構成している。なお、第１挟込防止部１００ａのベース片１１０の構成と第２挟込防止部１００ｂのベース片１１０の構成とはそれぞれ略同一であるので、以下では第１挟込防止部１００ａのベース片１１０の構成のみについて説明する。
【００８９】
すなわち、ベース片１１０によって第１開閉体本体３０ａの下端部が覆われることで当該下端部が外部に対して非露出状となり、且つ当該ベース片１１０が第１開閉体本体３０ａに対して嵌合可能となるように、当該ベース片１１０が構成されている。具体的には、図３に示すように、ベース片１１０は、凹部１１１、第１嵌合穴１１２、及び第２嵌合穴１１３が設けられている。
【００９０】
このうち、凹部１１１は、第１開閉体本体３０ａの下端部を収容するためのものであり、ベース片１１０の上端部及びその近傍部分を切り欠くことにより形成されている。また、第１嵌合穴１１２は、第１開閉体本体３０ａの室外側表面材３２の下端部を第１挟込防止部１００ａに対して嵌合させるためのものであり、ベース片１１０における凹部１１１の底部分に対応する部分を切り欠くことにより形成されている。また、第２嵌合穴１１３は、第１開閉体本体３０ａの室内側表面材３３の下端部を第１挟込防止部１００ａに対して嵌合させるためのものであり、ベース片１１０における凹部１１１の底部分に対応する部分を切り欠くことにより形成されている。
【００９１】
また、ベース片１１０の固定方法については任意であるが、実施の形態では、ベース片１１０を第１開閉体本体３０ａに対して強固に取り付けるために、図３に示すように、ベース片１１０を第１開閉体本体３０ａに対して嵌合した状態で、ベース片１１０を第１開閉体本体３０ａに対して固定具１１４（一例として、ネジ、ビス等。以下、「ベース片用固定具１１４」と称する。）によって固定している。具体的には、第１開閉体本体３０ａの一部を凹部１１１に収納し、且つ第１嵌合穴１１２及び第２嵌合穴１１３によって嵌合した状態で、ベース片用固定具１１４をベース片１１０及び第１開閉体本体３０ａの下側横力骨３１ｄに対して左右方向に沿って相互に間隔を隔てて複数取り付けることにより、固定している。
【００９２】
このような第３の特徴により、特殊な部材を別途設けることなく開閉体２０の意匠性を高めることができ、且つ第１挟込防止部１００ａ及び第２挟込防止部１００ｂの取付性を高めることができる。
【００９３】
（構成−挟込防止構造−第４の特徴）
次に、挟込防止構造の第４の特徴については、図３に示すように、第１挟込防止部１００ａ及び第２挟込防止部１００ｂの各々の塞ぎ部１０２は、ベース片１１０、第１突出片１２０、及び第２突出片１３０に加えて、補助片１４０を備えている。なお、第１挟込防止部１００ａの補助片１４０の構成と第２挟込防止部１００ｂの補助片１４０の構成とはそれぞれ略同一であるので、以下では第１挟込防止部１００ａの補助片１４０の構成のみについて説明する。
【００９４】
補助片１４０は、第１突出片１２０及び第２突出片１３０の支持を補助するための側片である。この補助片１４０は、図３に示すように、第１突出片１２０と第２突出片１３０との相互間に設けられており、第１突出片１２０と第２突出片１３０とに接続されている。また、補助片１４０には、ベース片用固定具１１４を挿通するための挿通孔１４１が複数形成されており、複数の挿通孔１４１の各々が補助片１４０における対応するベース片用固定具１１４と対向する位置に設けられている。
【００９５】
また、補助片１４０の具体的な大きさについては任意であるが、例えば、図３に示すように、補助片１４０の左右方向の長さについてはベース片１１０の左右方向の長さと略同一に設定し、補助片１４０の前後方向の長さについてはベース片１１０の前後方向の長さと略同一に設定し、補助片１４０の厚さについてはベース片１１０の厚さよりも薄く設定してもよい。
【００９６】
また、補助片１４０の具体的な構成については任意であるが、実施の形態では、弾性変形可能であり、且つベース片１１０の見込方向の中央側に向かうにつれて上方又は下方に向けて湾曲するように構成されている。具体的には、補助片１４０の材質については、補助片１４０を弾性変形させることが可能な材質で構成しており、例えば、第１突出片１２０と同様のゴム材料で構成してもよい。また、補助片１４０の側面形状については、図３に示すように、上方に向けて突出する湾曲状（又は下方に向けて突出する湾曲状）に設定している。
【００９７】
この場合において、第１挟込防止部１００ａの形成方法については任意であるが、例えばゴム材料を射出成形することにより、ベース片１１０、第１突出片１２０、第２突出片１３０、及び補助片１４０を一体形成することにより、形成してもよい。ただし、これに限らず、例えば、ゴム材料を射出成形することにより、ベース片１１０、第１突出片１２０、第２突出片１３０、及び補助片１４０の一部を一体成形した後に、ベース片１１０、第１突出片１２０、第２突出片１３０、及び補助片１４０の他の一部を当該一部に対して固定具等によって接続することにより、形成してもよい。
【００９８】
このような第４の特徴により、第１挟込防止部１００ａ（又は第２挟込防止部１００ｂ）の補助片１４０によって第１挟込防止部１００ａ（又は第２挟込防止部１００ｂ）の第１突出片１２０及び第２突出片１３０の支持を補助でき、これら第１突出片１２０及び第２突出片１３０を安定して支持することが可能となる。また、上記補助片１４０が水平方向に沿うように直線状に構成された場合に比べて、上記第１突出片１２０又は上記第２突出片１３０が通行対象との接触で弾性変形した際に補助片１４０が変形しやすくなることから、上記補助片１４０によって上記第１突出片１２０又は上記第２突出片１３０の変形が妨げられることを回避できる。
【００９９】
（開閉システムの作用）
続いて、このように構成された開閉システム１の作用について説明する。開閉システム１の作用は、通行対象が部屋の室外側から室内側に向けて通行する場合の作用と、通行対象が部屋の室内側から室外側に向けて通行する場合の作用とに大別されるが、これら作用はそれぞれ略同一であるので、以下では、通行対象が部屋の室外側から室内側に向けて通行する場合の作用のみについて説明することとする。なお、この作用の前提としては、開閉体２０の状態が全閉状態であり、開閉駆動部７０、施錠装置８０、及び制御装置９０の電源が投入されており、制御装置９０による準備処理が既に実行されているものとして説明する。ここで、「準備処理」とは、制御装置９０による開閉処理を行う前に実行される処理であって、例えば、公知の方法により全閉位置及び全開位置を正確に判断するための学習処理等が該当する。
【０１００】
例えば、まず、通行対象が開口部３に近づくことで部屋の室外側に配置された天井側検知部９２によって通行対象が検知されると、これら天井側検知部９２から開放信号が出力される。そして、制御ユニット９９の入力部９９ａに開放信号が入力されると、制御ユニット９９の制御部９９ｄによって開閉体２０が全開位置まで開放移動される。
【０１０１】
次に、全開状態になってから所定時間経過した後に通行対象が開口部３の近傍位置にいる場合において、上記近傍位置が開口部側検知部９４の検知エリア内である場合（すなわち、検知光が通行対象に当たる位置である場合）には、開口部側検知部９４によって通行対象が検知されて開放信号が出力される。そして、制御ユニット９９の入力部９９ａに開放信号が入力されると、制御ユニット９９の制御部９９ｄによって全開状態を維持するように開閉体２０の開閉移動が制御される。一方で、上記近傍位置が開口部側検知部９４の検知エリア外である場合（すなわち、検知光が通行対象に当たらない位置である場合）には、制御ユニット９９の制御部９９ｄによって開閉体２０が全閉位置まで閉鎖移動される。その後、通行対象が第１開閉体本体３０ａ又は第２開閉体本体３０ｂと床面５との間で挟み込まれようとすると、第１挟込防止部１００ａ又は第２挟込防止部１００ｂによって当該挟み込みが回避される。さらに、通行対象と第１挟込防止部１００ａ又は第２挟込防止部１００ｂとの接触により制御装置９０の図示しない検知部によって閾値以上の過負荷が検知されると、制御ユニット９９の制御部９９ｄによって開閉体２０が全開位置まで開放移動される（いわゆる開閉体２０の反転開放が行われる）。
【０１０２】
次いで、全開状態になってから通行対象が上記近傍位置から部屋の室内側に移動し、さらに所定時間経過すると、制御ユニット９９の制御部９９ｄによって開閉体２０が全閉位置まで閉鎖移動される。
【０１０３】
このような作用により、通行対象が開口部３を安全に通行することが可能となる。特に、通行対象が開口部３の近傍位置であり、且つ開口部側検知部９４の検知エリア外の位置にいる場合でも、第１挟込防止部１００ａ又は第２挟込防止部１００ｂによって通行対象が第１開閉体本体３０ａ又は第２開閉体本体３０ｂと床面５との間で挟み込まれることを防止でき、通行対象の安全性を確実に確保できる。
【０１０４】
（実施の形態の効果）
このように実施の形態によれば、開閉体本体と床面との間のうち戸尻側ヒンジ部６０に対応する部分以外の部分の略全体にわたって設けられた第１挟込防止部１００ａ及び第２挟込防止部１００ｂであり、通行対象が開閉体本体の近傍に位置する際に当該通行対象が開閉体本体と床面５との間で挟み込まれることを防止するための第１挟込防止部１００ａ及び第２挟込防止部１００ｂを備えたので、第１挟込防止部１００ａ又は第２挟込防止部１００ｂによって通行対象が開閉体本体と床面５との間で挟み込まれることを防止でき、通行対象の安全性を確保できる。
【０１０５】
また、第１挟込防止部１００ａ及び第２挟込防止部１００ｂの各々が、通行対象の挟み込みを防止可能な空間部であって、当該空間部の上端が開閉体本体の下端部のうち戸尻側ヒンジ部６０に対応する部分よりも上方に位置するように設けられた空間部１０１を備えるので、空間部１０１によって通行対象が開閉体本体と床面５との間で挟み込まれることを防止でき、通行対象の安全性を確保しやすくなる。
【０１０６】
また、第１挟込防止部１００ａ及び第２挟込防止部１００ｂの各々が、少なくとも一部が弾性変形可能な塞ぎ部１０２であって、空間部１０１を塞ぐための塞ぎ部１０２をさらに備えるので、開閉体本体と床面５との間で通行対象が挟まれることを防止しながら、空間部１０１を塞ぐことができる。よって、全閉状態において開口部３よりも見込方向の一方側の空間が空間部１０１を介して見込方向の他方側に露出することを回避できると共に、通行対象が足等を故意に空間部１０１に入れることを抑制できる。
【０１０７】
また、塞ぎ部１０２を、第１開閉体本体３０ａと第２開閉体本体３０ｂとにそれぞれ別体で設けたので、塞ぎ部１０２を第１開閉体本体３０ａと第２開閉体本体３０ｂとにわたって一体で設けた場合に比べて、開閉体２０を容易に折り畳むことができ、開閉体２０の開閉移動をスムーズに行うことが可能となる。
【０１０８】
また、塞ぎ部１０２の下端部と、第１開閉体本体３０ａの下端部の部分のうち戸尻側ヒンジ部６０に対応する部分とを略面一としたので、塞ぎ部１０２の下端部と、第１開閉体本体３０ａの下端部の部分のうち戸尻側ヒンジ部６０に対応する部分とを非面一とした場合に比べて、塞ぎ部１０２が目立つことを抑制でき、開閉体２０の意匠性を維持しやすくなる。
【０１０９】
また、塞ぎ部１０２が、開閉体本体の下端部に取り付けられるベース片１１０と、弾性変形可能な突出片であって、ベース片１１０から下方に向けて張り出された突出片とを備えたので、塞ぎ部１０２を比較的簡易な構成且つ安価に製造でき、塞ぎ部１０２の製造コストを低減できる。また、突出片の厚さを下方に向かうにつれて薄くしたので、突出片の下側部分が変形しやすくなるため、通行対象が突出片と接触した際の負荷を低減できる。また、突出片の上側部分を厚くでき、突出片の形状を維持しやすくなる。
【０１１０】
また、突出片が、ベース片１１０の見込方向の一方側の端部に設けられた第１突出片１２０と、ベース片１１０の見込方向の他方側の端部に設けられた第２突出片１３０とを備えるので、第１突出片１２０又は第２突出片１３０のいずれか一方のみを備える場合に比べて、第１挟込防止部１００ａ及び第２挟込防止部１００ｂの見込方向の一方側の外観と第１挟込防止部１００ａ及び第２挟込防止部１００ｂの見込方向の他方側の外観とを同一又は類似にできることから、開閉体２０の意匠性を維持しやすくなる。
【０１１１】
また、塞ぎ部１０２が、第１突出片１２０と第２突出片１３０とを接続する補助片１４０をさらに備え、補助片１４０を、弾性変形可能であり、且つベース片１１０の見込方向の中央側に向かうにつれて上方又は下方に向けて湾曲するように構成したので、補助片１４０によって第１突出片１２０及び第２突出片１３０の支持を補助でき、第１突出片１２０及び第２突出片１３０を安定して支持することが可能となる。また、補助片１４０が水平方向に沿うように直線状に構成された場合に比べて、第１突出片１２０又は第２突出片１３０が通行対象との接触で弾性変形した際に補助片１４０が変形しやすくなることから、補助片１４０によって第１突出片１２０又は第２突出片１３０の変形が妨げられることを回避できる。
【０１１２】
〔III〕各実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【０１１３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１１４】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。また、本出願における「装置」とは、単一の装置によって構成されたものに限定されず、複数の装置によって構成されたものを含む。例えば、制御装置９０の制御ユニット９９を、相互に通信可能に構成された複数の装置に分散して構成し、これら複数の装置の一部に制御部９９ｄを設けると共に、これら複数の装置の他の一部に記憶部９９ｅを設けてもよい。
【０１１５】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１１６】
（折り戸について）
上記実施の形態では、折り戸が、電動式の折り戸であると説明したが、これに限らず、例えば、手動式の折り戸であってもよい。この場合には、開閉駆動部７０、施錠装置８０、及び制御装置９０を省略できる。
【０１１７】
また、上記実施の形態では、折り戸が、片開式の折り戸であると説明したが、これに限らない。例えば、図７に示すように、折り戸が、両開式の折り戸であってもよい。この場合には、開閉システム１は、開閉体２０、戸尻側ヒンジ部６０、開閉駆動部７０、施錠装置８０、及び制御装置９０の制御ユニット９９からなる組を２つと、枠体１０と、制御装置９０の各種検知部及び各種スイッチとを備えてもよい。
【０１１８】
（開閉体について）
上記実施の形態では、第２開閉体本体３０ｂの設置数が１つであると説明したが、これに限らず、例えば２つ以上であってもよい。
【０１１９】
また、上記実施の形態では、開閉体２０が、戸先側戸当たり部５２、戸尻側戸当たり部５３、中間戸当たり部５４、及び中間ヒンジ側隙間４４を備えていると説明したが、これに限らず、例えば、戸先側戸当たり部５２、戸尻側戸当たり部５３、中間戸当たり部５４、又は中間ヒンジ側隙間４４の少なくともいずれか１つを省略してもよい。
【０１２０】
また、上記実施の形態では、開閉体２０が部屋の室外側に向けてせり出すように折り畳み可能に設置されていると説明したが、例えば、開閉体２０が部屋の室内側に向けてせり出すように折り畳み可能に設置されてもよい。この場合には、点検口１３ａ及び点検カバー１３ｂは、上枠材１３における部屋の室内側の側面に設けられる。
【０１２１】
（制御装置について）
上記実施の形態では、制御装置９０が、天井側検知部９２、上枠材側検知部９３、開口部側検知部９４、第１開スイッチ９７、及び第２開スイッチ９８を備えていると説明したが、これに限らず、例えば、天井側検知部９２、上枠材側検知部９３、開口部側検知部９４、第１開スイッチ９７、又は第２開スイッチ９８の少なくともいずれか１つを省略してもよい。
【０１２２】
（天井側検知部、上枠材側検知部について）
上記実施の形態では、天井側検知部９２を部屋の室外側に設け、上枠材側検知部９３を部屋の室内側に設けていると説明したが、これに限らない。例えば、天井側検知部９２を部屋の室内側に設け、上枠材側検知部９３を部屋の室外側に設けてもよい。あるいは、天井側検知部９２を部屋の室外側及び室内側に設け、上枠材側検知部９３を省略してもよい。
【０１２３】
（第１挟込防止部、第２挟込防止部について）
上記実施の形態では、第１挟込防止部１００ａ及び第２挟込防止部１００ｂの各々が、塞ぎ部１０２を備えていると説明したが、これに限らず、例えば、第１挟込防止部１００ａ又は第２挟込防止部１００ｂの少なくともいずれか一方において塞ぎ部１０２を省略してもよい。
【０１２４】
（塞ぎ部について）
上記実施の形態では、塞ぎ部１０２が、すべてゴム材料で構成されていると説明したが、これに限らず、ゴム材料以外の材料で構成されてもよい。一例として、第１挟込防止部１００ａの塞ぎ部１０２は、第１開閉体本体３０ａの下端部から下方に向けて張り出された金属製の突出片であって、当該下端部に対して回動自在に固定された突出片と、この突出片が外側から押圧された際に当該突出片を外側に向けて付勢するための金属製の付勢部（一例として、バネ材）とを備えて構成されてもよい（なお、第２挟込防止部１００ｂについても同様とする）。これにより、突出片と通行対象との接触で付勢部が変形した際に、当該変形に伴う付勢部の付勢により突出片を当該変形前の状態に戻すことができる。
【０１２５】
また、上記実施の形態では、第１挟込防止部１００ａ及び第２挟込防止部１００ｂの各々の塞ぎ部１０２を、第１開閉体本体３０ａと第２開閉体本体３０ｂとにそれぞれ別体で設けていると説明したが、これに限らず、例えば、第１開閉体本体３０ａと第２開閉体本体３０ｂとにわたって一体で設けてもよい。
【０１２６】
また、上記実施の形態では、第１挟込防止部１００ａ及び第２挟込防止部１００ｂの各々の塞ぎ部１０２の下端部と、第１開閉体本体３０ａの下端部の部分のうち戸尻側ヒンジ部６０に対応する部分とが略面一となるように、当該塞ぎ部１０２を設けていると説明したが、これに限らない。例えば、第１挟込防止部１００ａ及び第２挟込防止部１００ｂの各々の塞ぎ部１０２の下端部と、第１開閉体本体３０ａの下端部の部分のうち戸尻側ヒンジ部６０に対応する部分とが非面一となるように設けてもよい。
【０１２７】
また、上記実施の形態では、塞ぎ部１０２が、第１突出片１２０及び第２突出片１３０を備えていると説明したが、これに限らず、例えば、第１突出片１２０又は第２突出片１３０のいずれか一方を省略してもよい。この場合には、例えば、第１突出片１２０又は第２突出片１３０のいずれか一方は、ベース片１１０の見込方向の中央部分に配置されてもよい。このような構成により、塞ぎ部１０２を一層簡易な構造で構成でき、塞ぎ部１０２の製造コストを低減できると共に、塞ぎ部１０２を製造しやすくなる。
【０１２８】
また、上記実施の形態では、塞ぎ部１０２が、補助片１４０を備えていると説明したが、これに限らず、例えば、補助片１４０を省略してもよい。
【０１２９】
（突出片について）
上記実施の形態では、第１突出片１２０（又は第２突出片１３０）の厚さを、下方に向かうにつれて薄くしたと説明したが、これに限らず、例えば、均一に設定してもよい。この場合には、例えば、第１突出片１２０（又は第２突出片１３０）の形状を維持するために、第１突出片１２０と第２突出片１３０との相互間において補助片１４０を複数設けてもよい。具体的には、図８に示すように、複数の補助片１４０を上下方向に沿って間隔を隔てて並設してもよく、又は、図９に示すように、クロス状に設けてもよい。
【０１３０】
また、上記実施の形態では、第１突出片１２０（又は第２突出片１３０）が、下方に向かうにつれてベース片１１０の見込方向の中央側に向けて傾斜するように構成されていると説明したが、これに限らず、例えば、上下方向に沿うように直線状に構成されてもよい。
【０１３１】
（ベース片について）
上記実施の形態では、第１開閉体本体３０ａ（又は第２開閉体本体３０ｂ）の下端部が外部に対して非露出状となるように、ベース片１１０が構成されていると説明したが、これに限らない。例えば、上記下端部が外部に対して露出状となるように構成されてもよい。この場合には、凹部１１１を省略できる。
【０１３２】
また、上記実施の形態では、ベース片１１０を第１開閉体本体３０ａ（又は第２開閉体本体３０ｂ）に対して嵌合した状態で、ベース片１１０を第１開閉体本体３０ａ（又は第２開閉体本体３０ｂ）に対してベース片用固定具１１４によって固定していると説明したが、これに限らない。例えば、ベース片１１０を第１開閉体本体３０ａ（又は第２開閉体本体３０ｂ）に対して嵌合するのみであってもよい。あるいは、ベース片１１０を第１開閉体本体３０ａ（又は第２開閉体本体３０ｂ）に対してベース片用固定具１１４によって固定するのみであってもよい。この場合には、第１嵌合穴１１２及び第２嵌合穴１１３を省略できる。
【０１３３】
（補助片について）
上記実施の形態では、補助片１４０が、ベース片１１０の見込方向の中央側に向かうにつれて上方又は下方に向けて湾曲するように構成されていると説明したが、これに限らず、例えば、水平方向に沿うように直線状に構成されてもよい。
【０１３４】
（付記）
付記１の折り戸用の開閉体は、建物の壁の開口部に設けられる折り戸を構成する開閉体であり、当該開閉体の戸尻側の端部又はその近傍に設けられたヒンジ部によって、当該開閉体が前記折り戸を構成する枠体に対して回動自在に軸支される開閉体であって、開閉体本体と、前記開閉体本体と床面との間のうち前記ヒンジ部に対応する部分以外の部分の略全体にわたって設けられた挟込防止手段であり、通行対象が前記開閉体本体の近傍に位置する際に当該通行対象が前記開閉体本体と床面との間で挟み込まれることを防止するための挟込防止手段と、を備えた。
【０１３５】
付記２の折り戸用の開閉体は、付記１に記載の折り戸用の開閉体において、前記挟込防止手段は、前記通行対象の挟み込みを防止可能な空間部であって、当該空間部の上端が前記開閉体本体の下端部のうち前記ヒンジ部に対応する部分よりも上方に位置するように設けられた空間部を備える。
【０１３６】
付記３の折り戸用の開閉体は、付記２に記載の折り戸用の開閉体において、前記挟込防止手段は、少なくとも一部が弾性変形可能な塞ぎ部であって、前記空間部を塞ぐための塞ぎ部をさらに備える。
【０１３７】
付記４の折り戸用の開閉体は、付記３に記載の折り戸用の開閉体において、前記開閉体本体は、前記ヒンジ部によって軸支された第１開閉体本体と、前記第１開閉体本体よりも戸先側に少なくとも１つ以上設けられる第２開閉体本体と、を備え、前記塞ぎ部を、前記第１開閉体本体と第２開閉体本体とにそれぞれ別体で設けた。
【０１３８】
付記５の折り戸用の開閉体は、付記４に記載の折り戸用の開閉体において、前記塞ぎ部の下端部と、前記第１開閉体本体の下端部の部分のうち前記ヒンジ部に対応する部分とを略面一とした。
【０１３９】
付記６の折り戸用の開閉体は、付記３から５のいずれか一項に記載の折り戸用の開閉体において、前記塞ぎ部は、前記開閉体本体の下端部に取り付けられるベース片と、弾性変形可能な突出片であって、前記ベース片から下方に向けて張り出された突出片と、を備え、前記突出片の厚さを、下方に向かうにつれて薄くした。
【０１４０】
付記７の折り戸用の開閉体は、付記６に記載の折り戸用の開閉体において、前記突出片は、前記ベース片の見込方向の一方側の端部に設けられた第１突出片と、前記ベース片の見込方向の他方側の端部に設けられた第２突出片と、を備える。
【０１４１】
付記８の折り戸用の開閉体は、付記７に記載の折り戸用の開閉体において、前記塞ぎ部は、前記第１突出片と前記第２突出片とを接続する補助片をさらに備え、前記補助片を、弾性変形可能であり、且つ前記ベース片の見込方向の中央側に向かうにつれて上方又は下方に向けて湾曲するように構成した。
【０１４２】
（付記の効果）
付記１に記載の折り戸用の開閉体によれば、開閉体本体と床面との間のうちヒンジ部に対応する部分以外の部分の略全体にわたって設けられた挟込防止手段であり、通行対象が開閉体本体の近傍に位置する際に当該通行対象が開閉体本体と床面との間で挟み込まれることを防止するための挟込防止手段を備えたので、挟込防止手段によって通行対象が開閉体本体と床面との間で挟み込まれることを防止でき、通行対象の安全性を確保できる。
【０１４３】
付記２に記載の折り戸用の開閉体によれば、挟込防止手段が、通行対象の挟み込みを防止可能な空間部であって、当該空間部の上端が開閉体本体の下端部のうちヒンジ部に対応する部分よりも上方に位置するように設けられた空間部を備えるので、空間部によって通行対象が開閉体本体と床面との間で挟み込まれることを防止でき、通行対象の安全性を確保しやすくなる。
【０１４４】
付記３に記載の折り戸用の開閉体によれば、挟込防止手段が、少なくとも一部が弾性変形可能な塞ぎ部であって、空間部を塞ぐための塞ぎ部をさらに備えるので、開閉体本体と床面との間で通行対象が挟まれることを防止しながら、空間部を塞ぐことができる。よって、開閉体によって開口部を全閉した状態において開口部よりも見込方向の一方側の空間が空間部を介して見込方向の他方側に露出することを回避できると共に、通行対象が足等を故意に空間部に入れることを抑制できる。
【０１４５】
付記４に記載の折り戸用の開閉体によれば、塞ぎ部を、第１開閉体本体と第２開閉体本体とにそれぞれ別体で設けたので、塞ぎ部を第１開閉体本体と第２開閉体本体とにわたって一体で設けた場合に比べて、開閉体を容易に折り畳むことができ、開閉体の開閉移動をスムーズに行うことが可能となる。
【０１４６】
付記５に記載の折り戸用の開閉体によれば、塞ぎ部の下端部と、第１開閉体本体の下端部の部分のうちヒンジ部に対応する部分とを略面一としたので、塞ぎ部の下端部と、第１開閉体本体の下端部の部分のうちヒンジ部に対応する部分とを非面一とした場合に比べて、塞ぎ部が目立つことを抑制でき、開閉体の意匠性を維持しやすくなる。
【０１４７】
付記６に記載の折り戸用の開閉体によれば、塞ぎ部が、開閉体本体の下端部に取り付けられるベース片と、弾性変形可能な突出片であって、ベース片から下方に向けて張り出された突出片とを備えたので、塞ぎ部を比較的簡易な構成且つ安価に製造でき、塞ぎ部の製造コストを低減できる。また、突出片の厚さを下方に向かうにつれて薄くしたので、突出片の下側部分が変形しやすくなるため、通行対象が突出片と接触した際の負荷を低減できる。また、突出片の上側部分を厚くでき、突出片の形状を維持しやすくなる。
【０１４８】
付記７に記載の折り戸用の開閉体によれば、突出片が、ベース片の見込方向の一方側の端部に設けられた第１突出片と、ベース片の見込方向の他方側の端部に設けられた第２突出片と、を備えるので、第１突出片又は第２突出片のいずれか一方のみを備える場合に比べて、挟込防止手段の見込方向の一方側の外観と挟込防止手段の見込方向の他方側の外観とを同一又は類似にできることから、開閉体の意匠性を維持しやすくなる。
【０１４９】
付記８に記載の折り戸用の開閉体によれば、塞ぎ部が、第１突出片と第２突出片とを接続する補助片をさらに備え、補助片を、弾性変形可能であり、且つベース片の見込方向の中央側に向かうにつれて上方又は下方に向けて湾曲するように構成したので、補助片によって第１突出片及び第２突出片の支持を補助でき、第１突出片及び第２突出片を安定して支持することが可能となる。また、補助片が水平方向に沿うように直線状に構成された場合に比べて、第１突出片又は第２突出片が通行対象との接触で弾性変形した際に補助片が変形しやすくなることから、補助片によって第１突出片又は第２突出片の変形が妨げられることを回避できる。
【符号の説明】
【０１５０】
１  開閉システム
２  壁部
３  開口部
４  天井部
５  床面
１０  枠体
１１  戸先側縦枠材
１２  戸尻側縦枠材
１３  上枠材
１３ａ  点検口
１３ｂ  点検カバー
１４  固定部材
１５  ガイドレール
１６  ストッパ
２０  開閉体
３０ａ  第１開閉体本体
３０ｂ  第２開閉体本体
３１  開閉体フレーム
３１ａ  戸尻側縦力骨
３１ｂ  戸先側縦力骨
３１ｃ  上側横力骨
３１ｄ  下側横力骨
３２  室外側表面材
３３  室内側表面材
３４  芯材
３５  窓部
３６  取手部
３７  デッドボルト受け
３８  第２カバー部
４０  中間ヒンジ部
４１  第１接続部
４１ａ  第１側片
４１ｂ  第２側片
４１ｃ  第３側片
４２  第２接続部
４２ａ  第１側片
４２ｂ  第２側片
４２ｃ  第３側片
４３  連結部
４４  中間ヒンジ側隙間
５１  被ガイド部
５２  戸先側戸当たり部
５３  戸尻側戸当たり部
５４  中間戸当たり部
６０  戸尻側ヒンジ部
６１  上側取付片
６２  下側取付片
６３  枠体側取付片
６４  連結部材
６５  第１カバー部
６６  軸部
６７  軸部
７０  開閉駆動部
８０  施錠装置
９０  制御装置
９２  天井側検知部
９３  上枠材側検知部
９４  開口部側検知部
９４ａ  送光部
９４ｂ  受光部
９７  第１開スイッチ
９８  第２開スイッチ
９９  制御ユニット
９９ａ  入力部
９９ｂ  出力部
９９ｃ  電源部
９９ｄ  制御部
９９ｅ  記憶部
１００ａ  第１挟込防止部
１００ｂ  第２挟込防止部
１０１  空間部
１０２  塞ぎ部
１１０  ベース片
１１１  凹部
１１２  第１嵌合穴
１１３  第２嵌合穴
１１４  ベース片用固定具
１２０  第１突出片
１３０  第２突出片
１４０  補助片
１４１  挿通孔
【図１】
2020070558.tif 000003
【図２】
2020070558.tif 000004
【図３】
2020070558.tif 000005
【図４】
2020070558.tif 000006
【図５】
2020070558.tif 000007
【図６】
2020070558.tif 000008
【図７】
2020070558.tif 000009
【図８】
2020070558.tif 000010
【図９】
2020070558.tif 000011